(57)【要約】【課題】  切断刃27の根元から先端までを用いて切断対象物に対して容易に安定した切断を可能とする鋏10を提供する。【解決手段】    鋏10の切断刃27の湾曲形状において、鋏10を開き、左右の切断刃27が交差する交差点と回転中心との距離をＹ、左右の切断刃27が交差する交差点と回転中心とを結ぶ線を回転基準線Ｂ、鋏10の回転中心から左右の切断刃27上の定点Ａまでの距離をＲ（ｍｍ）、一方の切断刃27の定点Ａと回転中心を結ぶ線が回転基準線Ｂと交わる角度をθ（rad）、左右の切断刃27の定点Ａにおける接線相互がなす角度をＸ（rad）とし、切断刃27の形状を表す極座標上の方程式が、    Ｒ＝Ｙ＊exp（θ＊Cot（Ｘ／２））  である切断刃27の形状とした鋏10とする。【選択図】    図３
2013240399.tif 000002
【特許請求の範囲】
【請求項１】
鋏の切断刃の湾曲形状において、
当該鋏を開き、左右の切断刃が交差する交差点と回転中心との距離をＹとし、
前記左右の切断刃が交差する交差点と回転中心とを結ぶ線を回転基準線Ｂとし、
前記鋏の前記回転中心から左右の切断刃上の定点Ａまでの距離をＲ（ｍｍ）とし、
一方の切断刃の前記定点Ａと前記回転中心を結ぶ線が前記回転基準線Ｂと交わる角度をθ（rad）とし、
前記左右の切断刃の前記定点Ａにおける接線相互がなす角度をＸ（rad）とし、
前記切断刃の形状を表す極座標上の方程式が、
Ｒ＝Ｙ＊exp（θ＊Cot（Ｘ／２））
である切断刃の形状であり、
Ｘの値をπ／１８（rad）からπ／３（rad）の範囲とし、かつ、
左右の切断刃が交差する状態において左右の切断刃を最大に開いたときのＹの値を５（ｍｍ）から３０（ｍｍ）の範囲としたことを特徴とする鋏。
【請求項２】
前記Ｒの最大値が２００（ｍｍ）であることを特徴とする請求項１に記載した鋏。
【発明の詳細な説明】
【技術分野】
【０００１】
本発明は、オフィスや一般家庭で種々の紙やテープ、布などを切断する鋏に関するものである。
【背景技術】
【０００２】
今日、オフィスや家庭で一般的に使用される鋏は、女性や子供でも片手で容易に使用できる大きさや重さとされると共に、指先で軽く開閉動作を行って種々の紙や布などを簡単に切断できるものが望まれている。
【０００３】
このため、切断性を向上させ、指による刃部の開閉を容易とする種々の提案がなされており、刃部にセラミックスコートを施すこと（例えば特許文献１）や、超硬質砥粒から成るコーティング層を設ける（例えば特許文献２）などの種々の表面処理の提案や実用化が行われている。
【０００４】
また、切断対象物が刃の間に挟まれて切断が困難となることを防止するため、２枚の刃部の裏面相互間に間隙を形成するもの（例えば特許文献３）や、「裏スキ」又は「ひぞこ」と呼ばれる刃部の裏面に形成する空間の形状を改良するもの（例えば特許文献４）、更にこの「裏スキ」の成型方法なども提案され、現実に使用され実施化されている。
【先行技術文献】
【特許文献】
【０００５】
【特許文献１】特開平０５―０９６０６５号公報
【特許文献２】特開２００５―１６８６２５号公報
【特許文献３】特開２００１―３１４６６９号公報
【特許文献４】特開２００３―０６２３６２号公報
【発明の概要】
【発明が解決しようとする課題】
【０００６】
従来の鋏では、厚紙などを切断するとき、切断刃の根元では大きな力を加えることができる反面、２枚の刃の開き角が大きく、切断対象物が切断されずに刃先に逃げるように移動することがあり、小さな力で切断対象物を切断することが困難な場合があった。
【０００７】
本発明は、この様な欠点を排除し、切断刃の根元から先端までを用いて安定した状態で切断対象物を容易に切断することのできる鋏を提供するものである。
【課題を解決するための手段】
【０００８】
本発明に係る鋏は、鋏の切断刃の湾曲形状において、当該鋏を開き、左右の切断刃が交差する交差点と回転中心との距離をＹとし、前記左右の切断刃が交差する交差点と回転中心とを結ぶ線を回転基準線Ｂとし、前記鋏の前記回転中心から左右の切断刃上の定点Ａまでの距離をＲ（ｍｍ）とし、一方の切断刃の前記定点Ａと前記回転中心を結ぶ線が前記回転基準線Ｂと交わる角度をθ（rad）とし、前記左右の切断刃の前記定点Ａにおける接線相互がなす角度をＸ（rad）とし、前記切断刃の形状を表す極座標上の方程式が、
Ｒ＝Ｙ＊exp（θ＊Cot（Ｘ／２））
である切断刃の形状であり、Ｘの値をπ／１８（rad）からπ／３（rad）の範囲とし、かつ、左右の切断刃が交差する状態において左右の切断刃を最大に開いたときのＹの値を５（ｍｍ）から３０（ｍｍ）の範囲とした鋏とするものである。
【０００９】
また、前記Ｒの最大値は２００（ｍｍ）とする鋏である。
【発明の効果】
【００１０】
本発明は、切断刃の回転中心から左右の切断刃上の定点Ａまでの距離Ｒを、一方の切断刃の前記定点Ａと開いた鋏の中心線となる回転基準線Ｂと交わる角度や左右の切断刃の交わる角度とにより特定するように切断刃の形状を表す極座標上の方程式が、
Ｒ＝Ｙ＊exp（θ＊Cot（Ｘ／２））
とされるため、鋏を大きく開くときも開きを小さくしたときも切断刃の交わる角度を変化させることなく、切断刃の基部から先端まで一定の切れ味として常に良好な切断を行うことができる。
【００１１】
そして、切断刃上の定点Ａまでの距離Ｒの最大値は２００（ｍｍ）とする鋏であるから、女性や子供でも片手で容易に使用できる大きさの一般用の鋏とすることができる。
【図面の簡単な説明】
【００１２】
【図１】本発明に係る事務用鋏の閉じた状態を示す正面図。
【図２】本発明に係る事務用鋏の僅かに開いた状態を示す正面図。
【図３】本発明に係る事務用鋏の開いた状態を示す正面図。
【図４】本発明に係る事務用鋏の閉じた状態を示す側面図。
【図５】本発明に係る事務用鋏の閉じた状態における刃の重なり状態を示す裏面図。
【図６】本発明に係る事務用鋏の刃の交わり角が異なる実施の形態における閉じた状態での刃の重なり状態を示す裏面図。
【発明を実施するための形態】
【００１３】
本発明に係る鋏は、図１及び図２に示すように、刃体部21に形成される切断刃27が曲線形状とされると共に、刃体部21の基部25において、把持部35を備える柄部33と刃体部21とを接続する接続部15の側縁16よりも切断刃27が後退した後退部18を有する形状とされるものである。
【００１４】
そして、この切断刃27の湾曲形状は、刃体部21の先端23から基部25までを一定の曲率とするのではなく、左右の刃体部21において、先端23側よりも基部25側の曲率半径を順次小さくするように、即ち基部25側の曲率を順次大きくするように切断刃27の曲率を変化させているものである。
【００１５】
また、この鋏10は、指掛け穴37を有する把持部35から柄部33を介して接続部15に把持部35が一体とされ、接続部15に結合部材31としてのネジを設け、このネジにより第１の鋏体41と第２の鋏体42とを回動可能に接続し、第１の鋏体41及び第２の鋏体42は各々この接続部15から一辺を切断刃27とし且つ他辺を背部29とする長尺板状の刃体部21を延設しているものである。
【００１６】
この刃体部21における背部29は、直線に近い曲率半径の大きな滑らかな曲線で刃体部21の先端23から接続部15の側縁16に連続し、また、刃体部21は先端23と基部25との中間で幅が広くなるように切断刃27を湾曲させており、刃体部21の基部25における切断刃27を接続部15の側縁16から後退した位置とし、切断刃27の基部側端部位置に後退部18を形成している。
【００１７】
このように、切断刃27の湾曲形状は、刃体部21の先端23側よりも基部25側の曲率半径を小さく、即ち、先端23から基部25に向かって順次曲率を大きくするものであり、この曲率の変化は、図３に示すように、左右の刃体部21を所定幅に開くように第１の鋏体41と第２の鋏体42とを開いたとき、左右の切断刃27が交差する交差点と回転中心との距離をＹとし、左右の切断刃27が交差する交差点と回転中心とを結ぶ線を回転基準線Ｂとし、鋏10の回転中心から左右の切断刃27上の定点Ａまでの距離をＲ（ｍｍ）とし、一方の切断刃27の定点Ａと回転中心を結ぶ線が回転基準線Ｂと交わる角度をθ（rad）とし、左右の切断刃27の定点Ａにおける接線相互がなす角度をＸ（rad）としたとき、切断刃27の形状を表す極座標上の方程式が、
Ｒ＝Ｙ＊exp（θ＊Cot（Ｘ／２））
の条件式を満足させるように変化させているものである。
【００１８】
このように、回転中心から切断刃27の所定の定点Ａまでの距離Ｒを、定点Ａと回転中心とを結ぶ線と回転基準線Ｂとが交わる角度θと、定点Ａの接線が回転基準線Ｂとが交わる角度Ｘ／２と、により定めることにより、第１の鋏体41の切断刃27と第２の鋏体42の切断刃27とが交差する位置が刃体部21の基部25から先端23まで変化しても両切断刃27の交差する角度αを一定とすることができる。
【００１９】
即ち、図２に示す第１の鋏体41の刃体部21と第２の鋏体42の刃体部21との開き角βの変化に拘わらず、第１の鋏体41の切断刃27と第２の鋏体42の切断刃27とが交差する角度αを常に一定とすることができるものである
【００２０】
そして、両切断刃27の定点Ａにおける接線が相互に交わる角度Ｘの値をπ／１８（rad）からπ／３（rad）の範囲とし、左右の切断刃27が交差する状態において左右の切断刃27を最大に開いたときの回転中心から両切断刃27が交差する位置までの距離Ｙ、即ち、回転中心から切断刃27の基部25側端部までの距離Ｙの値を５（ｍｍ）から３０（ｍｍ）の範囲とするものである。
【００２１】
この両切断刃27の定点Ａにおける接線が相互に交わる角度Ｘの値をπ／１８よりも小さくすると、鋏10の刃体部21を開いたときの第１の鋏体41における刃体部21と第２の鋏体42における刃体部21との間隙が小さくなり、切断対象となる紙や布などが挟み難くなる
【００２２】
また、両切断刃27の定点Ａにおける接線が相互に交わる角度Ｘの値が大きくなると切断刃27の曲率が大きくなり、π／３（rad）よりも大きくすると切断刃27の長さを一定としたとき、刃体部21の中間位置における刃体部21の幅となる背部29と切断刃27との距離が大きくなり、一般的な鋏10として見慣れた形状と異なる特異な形状となり、違和感を生じさせる。
【００２３】
このため、両切断刃27の定点Ａにおける接線が相互に交わる角度Ｘは、π／１８（rad）からπ／３（rad）の範囲とし、好ましくは、π／１２（rad）からπ／５（rad）とするものである。
【００２４】
そして、刃体部21の回転中心から切断刃27の基部25側端部までの距離Ｙの値が５（ｍｍ）以下とすると、通常の片手で用いる鋏10では、接続部15において第１の鋏体41と第２の鋏体42の耐久性のある結合が困難となり、３０（ｍｍ）を超えると切断刃27の実行長さが短くなり、使い難い鋏10となるものである。
【００２５】
従って、指掛け穴37に指を通して鋏10を最大限に開いた状態で使いやすい鋏10とするには、刃体部21の回転中心から切断刃27の基部25側端部までの距離Ｙの値を５（ｍｍ）から１５（ｍｍ）程度とすることが好ましい。
【００２６】
また、回転中心から刃体部21の先端23までの距離の最大（Ｒｍａｘ）を２００（ｍｍ）とすることにより女性や子供でも容易に扱うことのできる大きさの鋏10としているものである。
【００２７】
そして、図２及び図３に示した鋏10では、両切断刃27を交叉させたとき、両切断刃27の交わる角度をπ／６（rad）となるようにしている。
【００２８】
このように、両切断刃27の交わる角度をπ／６（rad）度とすることにより、刃体部21の奥で切断対象物を切断するとき、容易に切断を行うことができる。
【００２９】
即ち、鋏10によって切断対象物を切断する場合、切断刃27の交わる角度が小さいほどせん断の率が高く、切断刃27の交わる角度が大きいほど切断の比率が高くなり、切断刃27の交わる角度がπ／６（rad）程度のとき、切断とせん断との比率が略等しくなり、紙などの切断対象物が逃げることなく切断刃27が食い込み、せん断を行いつつ切断により小さな力で鋏10を閉じる動作を行って切断対象物を切断することができるものである。
【００３０】
このため、刃体部21の基部25側で切断する場合も刃体部21の先端23で切断する場合も切断刃27の交わる角度の変化を無くしてせん断に対する切断の割合を低下させずに切断によって容易に切断対象物を切断することができ、刃体部21の基部25から先端23まで安定した一定の状態で容易に切断することができる。
【００３１】
そして、第１の鋏体41と第２の鋏体42における刃体部21は、図４及び図５に示すように、第１の鋏体41の刃体部21とが同一形状とされ、同一形状の刃体部21が対称形状としてその接続部15において結合部材31で相互に回動可能に接続され、切断刃27の基部と接続部15の側縁16との間に後退部18を有し、刃体部21の背部29は接続部15の側縁16と滑らかに接続される形状とされ、鋏10を閉じたとき、第１の鋏体41の刃体部21における背部29よりも内側に第２の鋏体42の刃体部21における切断刃27が位置するように第１の鋏体41における刃体部21と第２の鋏体42における刃体部21とが重なり、不用意に切断刃27に触れることが無いようにしている。
【００３２】
尚、両切断刃27の定点Ａにおける接線が相互に交わる角度Ｘをπ／７（rad）とした鋏10では、図６に示すように、図５に示した鋏10に対して切断刃27の湾曲が僅かに緩やかになり、第１の鋏体41と第２の鋏体42とを閉じたときの刃体部21の幅を細くすることができる。
【００３３】
また、上記実施の形態は、第１の鋏体41と第２の鋏体42を結合部材31としてのネジにより回動可能に一体としているも、結合部材31としては、ビスやリベットなど適宜の固定具を用いることができるものであり、第１の鋏体41と第２の鋏体42が相互に回動可能に接続されれば足りるものである。
【００３４】
更に、この刃体部21には、セラミックスやチタンなどによるコーティング処理を施したり、刃体部21の裏面にひぞこを形成することなどにより、一層切れ味の良好な刃体部21を有する鋏10とすることができる。
【産業上の利用可能性】
【００３５】
本発明に係る事務用鋏10は、刃体部21の中間を最も広くするように切断刃27を湾曲させ、切断刃27の湾曲形状として先端23から基部25に向かって順次曲率を大きくするように変化させて刃体部21の基部側で刃体部21を接続部15の側縁16から後退させた形状とすることにより、刃体部21の基部25から先端23までを用いて切断対象物を容易に安定した状態で切断することができる。
【符号の説明】
【００３６】
１０  鋏
１５  接続部                        １６  側縁
１８  後退部                        ２１  刃体部
２３  先端                          ２５  基部
２７  切断刃                        ２９  背部
３１  結合部材                      ３３  柄部
３５  把持部                        ３７  指掛け穴
４１  第１の鋏体                    ４２  第２の鋏体
【図１】
2013240399.tif 000003
【図２】
2013240399.tif 000004
【図３】
2013240399.tif 000005
【図４】
2013240399.tif 000006
【図５】
2013240399.tif 000007
【図６】
2013240399.tif 000008